(57)【要約】【課題】使い勝手が良く、掃除忘れ、装着忘れ等がない糸くず回収装置を提供すること。【解決手段】底面部に排水経路口１６を設けた外槽２と、外槽２内に設けた内槽４と、内槽４を臨む温風噴出口２２を設けた外槽カバー１９と、排水経路口１６から温風噴出口２２へと連通する循環経路４１と、内槽４および循環経路４１内に空気を送風する送風手段１４と、ヒータ２５と、送風手段１４の吸気側に設けられた糸くずなどを捕集するフィルターユニット２８と、フィルターユニット２８を着脱自在に収納するフィルター収納箱１８とを備え、フィルターユニット２８は、一次フィルター３２と二次フィルター３４から成り、二次フィルター３４は、一次フィルター３２の上部に位置し、後部は一次フィルター３２後方に形成された支持軸部３３にて一次フィルター３２に回動自在に連結され、前部は一次フィルター３２の受け部５１に載置される構成とした洗濯乾燥機である。【選択図】図１
2015054158.tif 000002
【特許請求の範囲】
【請求項１】
筐体と、前記筐体の上方に設けた筺体カバーと、前記筐体に垂下防振支持され、底面部に排水経路口を設けた外槽と、前記外槽内に回転自在に内包した洗濯物を収容する内槽と、前記外槽の上部開口端を水密的に覆い、前記内槽を臨む温風噴出口を設けた外槽カバーと、前記内槽の内底部に回転自在に設けた回転翼と、前記内槽または回転翼を回転駆動するモータと、前記排水経路口から前記温風噴出口へと連通する循環経路と、前記内槽および循環経路内に空気を送風する送風手段と、前記循環経路中で前記送風手段の排気側に設けられ乾燥用空気を生成するヒータと、前記循環経路中で前記送風手段の吸気側に設けられ乾燥行程にて発生する糸くずなどを捕集するフィルターユニットと、前記フィルターユニットを前方より略水平方向に着脱自在に収納するフィルター収納箱とを備え、前記フィルターユニットは、一次フィルターと二次フィルターから成り、二次フィルターは、前記一次フィルターの上部に位置し、後部は前記一次フィルター後方に形成された支持軸部にて前記一次フィルターに回動自在に連結され、前部は前記一次フィルターの受け部に載置された洗濯乾燥機。
【請求項２】
フィルターユニットは、二次フィルターが略１８０度回動すると、前記二次フィルターに形成した止部が一次フィルターの支持軸部近傍の枠体側壁部に当接する請求項１に記載の洗濯乾燥機。
【請求項３】
フィルターユニットは、一次フィルターの中段高さに位置する二次フィルターの前方端部よりも前方位置の前記一次フィルターに、フィルター収納箱との間をシールするパッキンを設けた請求項１または２に記載の洗濯乾燥機。
【発明の詳細な説明】
【技術分野】
【０００１】
本発明は、温風を循環させて衣類などに当てて、乾燥や脱臭などを行う洗濯乾燥機に関するものである。
【背景技術】
【０００２】
従来、この種の洗濯乾燥機は、衣類の乾燥により発生する糸くず、ほこりなどを回収するために、糸くず回収装置を備えた構成が提案されてきた（例えば、特許文献１参照）。
【０００３】
図６は、特許文献１に記載された従来の洗濯乾燥機の縦断面図、図７は、同洗濯乾燥機の糸くず回収装置の拡大断面図である。
【０００４】
図６、図７において、乾燥用送風機８５は、ヒータ６１により加熱された温風を温風噴出口６２より内槽６４内に送風するもので、筺体６１の略上方に設けている。熱交換ダクト８４は、湿った温風の除湿を行なうもので、一端を外槽６２の排水経路口７４に接続した接続ダクト７５に接続し、他端を乾燥用送風機８５に接続している。
【０００５】
糸くず回収装置８２は、循環除湿経路８３を構成する熱交換ダクト８４と乾燥用送風機８５との間に連結し、熱交換ダクト８４と乾燥用送風機８５とを介して筺体６１に鉛直方向に配設している。
【０００６】
この糸くず回収装置８２は、循環除湿経路８３に連結する糸くず回収体８６と、この糸くず回収体８６に上方向に着脱自在なフィルター体８７とで構成し、フィルター体８７に複数のフィルター８８，８９を設けている。糸くず回収体８６は、吸気口８６ａを乾燥用送風機８５に連結し、吸気口８６ｂを乾燥用送風機８５に連結し、フィルター８８，８９を乾燥用送風機８５の吸気側に配置するよう構成している。ここで、フィルター８８は面状に形成してメッシュを密とし、フィルター８９は開口部を下方にした袋状に形成してメッシュを粗としている。
【０００７】
フィルター体８７は、袋状のフィルター８９の下方の開口部近傍に糸くず受け部９０を形成し、この糸くず受け部９０は、気密用シール材９１一体に形成している。また、フィルター体８７は、フィルター８８，８９を挟んで気密用シール材９１と反対側にシール材９２を設け、糸くず回収体８６内に取り付けたとき、循環除湿経路８３内にフィルター８８，８９を保持するように構成している。また、フィルター体８７は把手９３を有している。
【０００８】
以上の構成にて、乾燥行程では、まず回転翼６５を正逆回転させることにより、衣類を内槽６４内で攪拌する。同時に、ヒータ７１により加熱された温風を乾燥用送風機８５により温風噴出口７２に送る。内槽６４に吹き込まれた温風は、衣類から水分を蒸発させた後、外槽６２の下部に設けた排水経路口７４、接続ダクト７５、熱交換ダクト８４、糸くず回収装置８２、乾燥用送風機８５、ヒータ７１、温風噴出口７２などで形成する循環除湿経路８３を循環する。衣類から水分を蒸発させた高温多湿空気は、外槽６２および熱交換ダクト８４を通過する際に、冷却用送風機（図示せず）の送風により冷却されて除湿し、その後、再び、乾燥用送風機８５、ヒータ７１に戻る。
【０００９】
乾燥行程で発生した糸くず、ほこりなどは、循環除湿経路８３を循環する循環風とともに循環し、糸くず回収装置８２でフィルター８８，８９により回収して除去する。
【先行技術文献】
【特許文献】
【００１０】
【特許文献１】特開２００１−３００１９２号公報
【発明の概要】
【発明が解決しようとする課題】
【００１１】
しかしながら、前記従来の構成においては、二つのフィルターが、独立分離して設けられており、個々に引き出し、掃除し、装着する必要があるため、使い勝手が悪く、一方のフィルターの掃除忘れ、装着忘れ、あるいは不完全装着により、糸くず捕集性能が低下するという課題があった。
【００１２】
本発明は、前記従来の課題を解決するもので、気密性保持の信頼性が高く、着脱の使い勝手も良く、フィルターの不完全装着や装着忘れ、掃除忘れも防止した高機能なフィルターを備えた洗濯乾燥機を提供することを目的としている。
【課題を解決するための手段】
【００１３】
前記従来の課題を解決するために、本発明の洗濯乾燥機は、筐体と、前記筐体の上方に設けた筺体カバーと、前記筐体に垂下防振支持され、底面部に排水経路口を設けた外槽と、前記外槽内に回転自在に内包した洗濯物を収容する内槽と、前記外槽の上部開口端を水密的に覆い、前記内槽を臨む温風噴出口を設けた外槽カバーと、前記内槽の内底部に回転自在に設けた回転翼と、前記内槽または回転翼を回転駆動するモータと、前記排水経路口から前記温風噴出口へと連通する循環経路と、前記内槽および循環経路内に空気を送風する送風手段と、前記循環経路中で前記送風手段の排気側に設けられ乾燥用空気を生成するヒータと、前記循環経路中で前記送風手段の吸気側に設けられ乾燥行程にて発生する糸くずなどを捕集するフィルターユニットと、前記フィルターユニットを前方より略水平方向に着脱自在に収納するフィルター収納箱とを備え、前記フィルターユニットは、一次フィルターと二次フィルターから成り、二次フィルターは、前記一次フィルターの上部に位置し、後部は前記一次フィルター後方に形成された支持軸部にて前記一次フィルターに回動自在に連結され、前部は前記一次フィルターの受け部に載置される構成としたものである。
【００１４】
これによって、使い勝手も良く、一方のフィルターの不完全装着や装着忘れ、掃除忘れも防止した乾燥糸くず捕集用フィルターユニットとすることができる。
【発明の効果】
【００１５】
本発明の洗濯乾燥機は、気密性保持の信頼性が高く、着脱の使い勝手も良く、一方のフィルターの不完全装着や装着忘れ、掃除忘れも防止した乾燥糸くず捕集用フィルターユニットとすることが出来る。
【図面の簡単な説明】
【００１６】
【図１】本発明の実施の形態における洗濯乾燥機の縦断面図
【図２】同洗濯乾燥機の要部断面図
【図３】同洗濯乾燥機の要部分解斜視図
【図４】同洗濯乾燥機のフィルターユニットの回動時の斜視図
【図５】同洗濯乾燥機のフィルターユニットの部分拡大図
【図６】従来の洗濯乾燥機の縦断面図
【図７】同洗濯乾燥機の糸くず回収装置の拡大断面図
【発明を実施するための形態】
【００１７】
第１の発明は、筐体と、前記筐体の上方に設けた筺体カバーと、前記筐体に垂下防振支
持され、底面部に排水経路口を設けた外槽と、前記外槽内に回転自在に内包した洗濯物を収容する内槽と、前記外槽の上部開口端を水密的に覆い、前記内槽を臨む温風噴出口を設けた外槽カバーと、前記内槽の内底部に回転自在に設けた回転翼と、前記内槽または回転翼を回転駆動するモータと、前記排水経路口から前記温風噴出口へと連通する循環経路と、前記内槽および循環経路内に空気を送風する送風手段と、前記循環経路中で前記送風手段の排気側に設けられ乾燥用空気を生成するヒータと、前記循環経路中で前記送風手段の吸気側に設けられ乾燥行程にて発生する糸くずなどを捕集するフィルターユニットと、前記フィルターユニットを前方より略水平方向に着脱自在に収納するフィルター収納箱とを備え、前記フィルターユニットは、一次フィルターと二次フィルターから成り、二次フィルターは、前記一次フィルターの上部に位置し、後部は前記一次フィルター後方に形成された支持軸部にて前記一次フィルターに回動自在に連結され、前部は前記一次フィルターの受け部に載置される構成とすることにより、使い勝手も良く、一方のフィルターの不完全装着や装着忘れ、掃除忘れも防止した乾燥糸くず捕集用フィルターユニットとすることができる。
【００１８】
第２の発明は、特に、第１の発明のフィルターユニットは、二次フィルターが略１８０度回動すると、前記二次フィルターに形成した止部が一次フィルターの支持軸部近傍の枠体側壁部に当接する構成とすることにより、フィルターユニットを片手で引出して軽く振るだけで、容易に二次フィルターを反転でき、ほこり付着面を上部にすることができるので、掃除が簡単であり、一次フィルターも簡単に掃除することができる。
【００１９】
第３の発明は、特に第１または第２の発明のフィルターユニットは、一次フィルターの中段高さに位置する二次フィルターの前方端部よりも前方位置の前記一次フィルターに、フィルター収納箱との間をシールするパッキンを設ける構成とすることにより、循環風の漏れを確実に防止し、気密性保持の信頼性を高くすることができる。
【００２０】
以下、発明の実施の形態について、図面を参照しながら説明する。また、この実施の形態によって本発明が限定されるものではない。
【００２１】
（実施の形態１）
図１は、本発明の実施の形態における洗濯乾燥機の縦断面図を示したものである。
【００２２】
図１において、筐体１は、外槽２をサスペンション３により垂下防振支持している。外槽２の内部に回転中心軸を略鉛直方向に有する内槽４を回転自在に設け、この内槽４の中央内底部に衣類を攪拌する回転翼５を回転自在に設け、内槽４の上方に振動低減用の流体バランサー６を設けている。外槽２の下方にはモータ（駆動手段）７を設け、中空で二軸構造となった洗濯・脱水軸８、および洗濯または脱水時によって回転力の伝達を洗濯・脱水軸８に切り換えるクラッチ９を介して、内槽４または回転翼５に連結している。
【００２３】
筐体カバー１０は、筐体１の上部を覆うもので、略中央部に洗濯物出入口１１を形成し、また、蓋体３０を後方軸支で開閉自在に有し、操作表示兼入力手段１２を前方に設けるとともに、内槽４に給水する給水弁（図示せず）を後方内部に設けている。
【００２４】
また、筐体カバー１０の後方内部には、内槽４内に乾燥用の温風を送風する送風手段１４を配設し、熱交換器１５は、湿った温風を除湿するもので、一端を外槽２の排水経路口１６に接続した接続ダクト１７に接続し、他端はフィルター収納箱１８を介して送風手段１４に接続している。そして、送風手段１４の送風ファン２４（図２で後述）の排気側には循環空気を温めるためのヒータ２５が設けられている。また、フィルター収納箱１８内には、衣類の乾燥で発生する糸くずやほこりを捕集するためのフィルターユニット２８が着脱自在に設けられている。フィルターユニット２８回りについては、図２以降で詳述す
る。
【００２５】
外槽カバー１９は、外槽２の上面を水密的に覆うもので、この外槽カバー１９に内蓋２０を開閉自在に設け、衣類の出し入れを行うようにしており、この外槽カバー１９には伸縮自在の上部蛇腹状ホース２１を介し温風を供給する温風噴出口２２が開口している。また、この外槽カバー１９には供給した温風を排出する排気口２３が開口している。
【００２６】
そして、外槽２、排水経路口１６、接続ダクト１７、熱交換器１５、フィルターユニット２８、送風手段１４、ヒータ２５、温風噴出口２２、内槽４の順に空気が循環する循環経路４１を形成している。
【００２７】
排水弁４２は、接続ダクト１７と熱交換器１５からの排水を、排水ダクト４３を通して排水弁４２に導き、排水ホース４４から機外へ排水するように構成している。
【００２８】
筺体１の背面側に設けた制御装置４５は、マイクロコンピュータを具備し、モータ７、クラッチ９、排水弁４２、給水弁、送風ファン２４、ヒータ２５などの動作を制御し、洗い、すすぎ、脱水、乾燥の一連の行程を逐次制御する。
【００２９】
図２は、本発明の実施の形態における洗濯乾燥機の要部断面図、図３は、同洗濯乾燥機の要部分解斜視図で、送風手段１４とフィルターユニット２８回りを示すものである。
【００３０】
図２、図３において、送風手段１４は、回転軸を略鉛直方向とした送風ファン２４と、送風ファン２４の排気側にヒータ（加熱手段）２５を配設して収納するファンケース２６とで構成され、送風ファン２４の吸気側は、フィルター収納箱１８に接続されており、双方は下流側連通口２７にて連通している。
【００３１】
フィルター収納箱１８の前面には、着脱自在なフィルターユニット２８を装着する装着口２９が開口しており、下面後端には熱交換器１５に連通する上流側連通口３０が設けられている。
【００３２】
フィルターユニット２８は、上下二段で構成され、下段には、後方に開口した網目材で袋状の捕集部３１を持つ一次フィルター３２が設けられ、上段には、フィルター収納箱１８からフィルターユニット２８を引き出し取り出した状態で、奥側に設けた支持軸部３３を中心に回動することができる網目材で面状の二次フィルター３４が設けられている。つまり、フィルターユニット２８の後部では、この支持軸部３３にて、二次フィルター３４が一次フィルター３２に回動自在に連結されており、また、前部では、一次フィルター３２の受け部５１に二次フィルター３４の当接部５２が載置されている。
【００３３】
また、二次フィルター３４の網目が一次フィルター３２の網目よりも小さくなっている。なお、二次フィルター３４の回動動作を含めたフィルターユニット２８の動作については、後述する。
【００３４】
二次フィルター３４の前方端は、一次フィルター３２の中段の高さに位置されており、二次フィルター３４の前方端部５３よりも前方位置の一次フィルター３２には、フィルター収納箱１８の装着口２９の内面側に当接して、循環風がフィルター収納箱１８から漏れないようにするためのパッキン３５が設けられている。
【００３５】
また、一次フィルター３２は、前方面部も形成しており、その前方面部の下方には引き出す際の取っ手部３６が設けられている。また、二次フィルター３４には、側面に凸部３７が設けられており、装着時にフィルター収納箱１８の内側面に設けたガイドレール３８
に沿って上方向に持ち上げられ、上段の下流側連通口２７に下から圧接するようになっている。
【００３６】
また、一次フィルター３２の袋状の捕集部３１の開口は、四角形の枠体３９で形成されており、この枠体３９に二次フィルター３４の回動中心である支持軸部３３が設けられている。そして、二次フィルター３４が略１８０度回動した時、一次フィルター３２の四角形の枠体３９の枠体側壁部５０（図５参照）に当接する止部４０が、二次フィルター３４に一体的に設けられている。
【００３７】
以上のように構成されたドラム式洗濯乾燥機について、以下、その動作、作用を説明する。
【００３８】
洗い行程では、蓋体３０と内蓋２０を開けて、内槽４に衣類（洗濯物）を投入し運転を開始すると、給水弁を開いて所定の水位まで給水した後、モータ７を駆動する。この時、伝達機構部のクラッチ９によりモータ７の動力を、洗濯・脱水軸８の洗濯軸を介して回転翼５に伝達し、回転翼５を回転させて衣類を水中で撹拌して洗い、その後、排水弁４２を開いて排水し、すすぎ行程では、再度給水して洗い行程と同様の動作にて衣類をすすぐ。
【００３９】
脱水行程では、すすぎ終了後、排水弁４２を開いて内槽４内の水を排水した後、伝達機構部のクラッチ９を脱水側に切り換えて、モータ７の動力を、洗濯・脱水軸８の脱水軸を介して内槽４に伝達して回転させ、衣類に遠心力を与えることにより、水分を衣類から分離する。脱水行程が終了すると、引き続いて乾燥行程に移行する。
【００４０】
乾燥行程に入ると、モータ７を駆動して回転翼５に伝達し、回転翼５をゆっくり回転させることにより、脱水時の遠心力により内槽４の内壁に張り付いた衣類を引き剥がした後、所定の時間だけ内槽４をゆっくりと回転させながら衣類を乾燥する槽回転乾燥行程を行う。さらに、その後、回転翼５を瞬間的に正逆の方向に強力に回転させて、衣類を内槽４内で上方に放り上げるようにして撹拌しながら乾燥する撹拌乾燥行程を行う。
【００４１】
同時に、送風ファン２４を駆動することにより、筐体１の内部から吸気し、この吸気された乾燥用の空気は、ヒータ２５を通って加熱された温風となって、温風噴出口２２より内槽４の内部に送り込まれる。温風噴出口１２より内槽４に吹き込まれた温風は、衣類から水分を蒸発させた後、外槽２の下部に設けた排水経路口１６、接続ダクト１７、熱交換器１５、フィルターユニット２８、送風ファン２４、ヒータ２５、温風噴出口２２などで形成する循環経路４１を循環する。衣類から水分を蒸発させた高温多湿空気は、外槽２および熱交換器１５を通過する際に、自然冷却されて除湿し、その後、再び、送風ファン２４、ヒータ２５に戻ることになる。これにより、乾燥が進行する。
【００４２】
乾燥行程で、ヒータ２５により加熱され、送風ファン２４により温風噴出口２２より内槽４に吹き込まれた温風は、衣類から水分を蒸発させた後、循環経路４１内を循環するとき、衣類から発生した糸くず、ほこりなどの大きいものは、フィルターユニット２８の一次フィルター３２の袋状の捕集部３１に捕集され、ほこりなどの小さいものは、二次フィルター３４に補集される。
【００４３】
図４は、本発明の実施の形態における洗濯乾燥機のフィルターユニットの、二次フィルター回動時の斜視図、図５は、同フィルターユニットの部分拡大図である。
【００４４】
図４、図５において、片手で一次フィルター３２の取っ手部３６に指をかけ、フィルター収納箱１８から一次フィルター３２を引き出すと、二次フィルター３４を伴って、フィルターユニット２８全体が引き出される。
【００４５】
そのまま、フィルターユニット２８を軽く振ると二次フィルター３４が後方にある支持軸部３３を中心に回転して、枠体３９の側壁の枠体側壁部５０に二次フィルター３４の止部４０が当たり、約１８０度回動した状態で止まり、面状のほこり付着面が上面に現れる。
【００４６】
これにより、二次フィルター３４の網目に付着した糸くずやほこりを、簡単に除去することができる。
【００４７】
次に、一次フィルター３２の袋状の捕集部３１に溜まった糸くず、ほこりを除去するとフィルターユニット２８全体の掃除が終わり、再度、フィルターユニット２８を、元のユニット状態に戻してフィルター収納箱１８に装着すると、一次フィルター３２に設けたパッキン３５がフィルター収納箱１８の装着口２９内面部に当接し、循環風がフィルター収納箱１８から漏れないようにして、次の行程運転に備えることができる。
【００４８】
以上のように、本実施の形態においては、フィルターユニット２８は、一次フィルター３２と二次フィルター３４から成り、二次フィルター３４は、一次フィルター３２の上部に位置し、後部は一次フィルター３２後方に形成された支持軸部３３にて一次フィルター３２に回動自在に連結され、前部は一次フィルター３２の受け部５１に載置される構成とすることにより、使い勝手も良く、一方のフィルターの不完全装着や装着忘れ、掃除忘れも防止した乾燥糸くず捕集用フィルターユニットとすることができる。
【００４９】
また、フィルターユニット２８は、二次フィルター３４が略１８０度回動すると、二次フィルター３４に形成した止部４０が一次フィルター３２の支持軸部３３近傍の枠体側壁部５０に当接する構成とすることにより、フィルターユニット２８を片手で引出して軽く振るだけで、容易に二次フィルター３４を反転でき、ほこり付着面を上部にすることができるので、掃除が簡単であり、一次フィルター３２も簡単に掃除することができる。
【００５０】
また、フィルターユニット２８は、一次フィルター３２の中段高さに位置する二次フィルター３４の前方端部よりも前方位置の一次フィルター３２に、フィルター収納箱１８との間をシールするパッキン３５を設ける構成とすることにより、循環風の漏れを確実に防止し、気密性保持の信頼性を高くすることができる。
【産業上の利用可能性】
【００５１】
以上のように、本発明にかかる洗濯乾燥機は、使い勝手も良く、一方のフィルターの不完全装着や装着忘れ、掃除忘れも防止した乾燥糸くず捕集用フィルターユニットとすることが可能となるので、ドラム式洗濯機など乾燥機能を有する他の洗濯機の用途に適用できる。
【符号の説明】
【００５２】
１  筐体
２  外槽
４  内槽
５  回転翼
７  モータ（駆動手段）
１０  筺体カバー
１４  送風手段
１６  排水経路口
１８  フィルター収納箱
１９  外槽カバー
２２  温風噴出口
２５  ヒータ
２８  フィルターユニット
３２  一次フィルター
３３  支持軸部
３４  二次フィルター
３５  パッキン
４０  止部
４１  循環経路
５０  枠体側壁部
５１  受け部
５３  前方端部
【図１】
2015054158.tif 000003
【図２】
2015054158.tif 000004
【図３】
2015054158.tif 000005
【図４】
2015054158.tif 000006
【図５】
2015054158.tif 000007
【図６】
2015054158.tif 000008
【図７】
2015054158.tif 000009